(57)【要約】【課題】本発明は、バットの素振り練習をする場合、打撃の実感を得ることができる素振り具を提供するにある。【解決手段】バットなどの素振り具本体と、この素振りぐ本体に設けられた、該素振り具本体を素振りした場合にその遠心力で勢いよく走行するように設けられた打ち当り体と、前記素振り具本体の前記打ち当り体の走行先に設けられた、前記打ち当り体が走行していって打ち当り、打撃音を発生するとともに該打ち当り体の走行を停止させる打ち当り体停止部と、走行前の前記打ち当り体を前記打ち当り体停止部から離れた部位に係止しておくための打ち当り体係止部と、離脱防止の飛び出し防止部とからなり前記素振り具本体を素振りすると、前記打ち当り体係止部に係止された前記打ち当り体が遠心力により該打ち当り体係止部から離れ、勢いよく走行して前記打ち当り体停止部に激突して、打撃音が発生するように構成している。【選択図】　図１
2004073776.tif 000002
【特許請求の範囲】
【請求項１】
バットなどの素振り具本体と、この素振り具本体に設けられた、該素振り具本体を素振りした場合にその遠心力で勢いよく走行するように設けられた打ち当り体と、前記素振り具本体の前記打ち当り体の走行先に設けられた、前記打ち当り体が走行していって打ち当り、打撃音を発生するとともに該打ち当り体の走行を停止させる打ち当り体停止部と、走行前の前記打ち当り体を前記打ち当り体停止部から離れた部位に係止しておくための打ち当り体係止部と、離脱防止の飛び出し防止部とからなり前記素振り具本体を素振りすると、前記打ち当り体係止部に係止された前記打ち当り体が遠心力により該打ち当り体係止部から離れ、勢いよく走行して前記打ち当り体停止部に激突して打撃音が発生するようにしてなることを特徴とする素振り具。
【請求項２】
素振りするバットなどに取付ける打撃音発生装置本体とこの打撃音発生装置本体に設けられた、該素振り具本体を素振りした場合にその遠心力で勢いよく走行するように設けられた打ち当り体と、前記打撃音発生装置本体の前記打ち当り体の走行先に設けられた、前記打ち当り体が走行していって打ち当り、打撃音を発生するとともに該打ち当り体の走行を停止させる打ち当り体停止部と、走行前の前記打ち当り体を前記打ち当り体停止部から離れた部位に係止しておくための打ち当り体係止部と離脱防止の飛び出し防止部からなり、前記素振り具本体を素振りすると、前記打ち当り体係止部に係止された前記打ち当り体が遠心力により該打ち当り体係止部から離れ、勢いよく走行して前記打ち当り体停止部に激突して打撃音が発生するようにしてなることを特徴とする素振り具。
【発明の詳細な説明】
【０００１】
【発明の属する技術分野】
本発明は、バットなど素振りした場合打撃音を発生する素振り具に関する。
【０００２】
【従来の技術】
従来、バットなどの素振り練習は、振ったり振り回すだけの打撃練習であった。
【０００３】
【発明が解決しようとする課題】
バットなどを素振りするとき、球が当たったことを想定して素振りするなど音の発生を勘で済まし、球が当たった実感がなく楽しさが欠けていた。
【０００４】
本発明は以上のような従来の欠点に鑑み、バットなどの素振り練習をする場合、打撃の実感を得ることができる素振り具を提供するにある。
【０００５】
【課題を解決するための手段】
上記の目的を達成するために、バットなどの素振り具本体と、この素振り具本体に設けられた、該素振り具本体を素振りした場合にその遠心力で勢いよく走行するように設けられた打ち当り体と、前記素振り具本体の前記打ち当り体の走行先に設けられた、前記打ち当り体が走行していって打ち当り、打撃音を発生するとともに該打ち当り体の走行を停止させる打ち当り体停止部と、走行前の前記打ち当り体を前記打ち当り体停止部から離れた部位に係止しておくための打ち当り体係止部と、離脱防止の飛び出し防止部とからなり、前記素振り具本体を素振りすると、前記打ち当り体係止部に係止された前記打ち当り体が遠心力により該打ち当り体係止部から離れ、勢いよく走行して前記打ち当り体停止部に激突して打撃音を発生するように構成している。
【０００６】
【発明の実施の形態】
以下、図面に示す実施の形態により、本発明を詳細に説明する。
【０００７】
図１及び図２は本発明の第一の実施の形態において、１は素振り具本体を素振りしたとき、自在に走行する打ち当り体で、２は打ち当り体停止部、３は打ち当り係止部、５は離脱防止の飛び出し防止部で形成されている。
【０００８】
図３は素振り具本体のバット４への実施例で、バット４への挿入は把握部の下部より差し入れる。本発明はバットの径の太さにより止まり、かつ飛び出し防止部５によりバット４の先端から離脱防止のため固定される。
バット４を素振りする前は、打ち当り体１は打ち当り体係止部３の上に静止し素振りすることにより、遠心力で打ち当り体１は走行して打ち当り体停止部２に激突し、打撃音を発生する。
【０００９】
【発明の異なる実施の形態】
次に図４ないし図６に示す本発明の異なる実施の形態につき説明する。
【００１０】
図４ないし図６の本発明の第２の実施形態において、前記本発明の第一の実施の形態と主に異なる点は、打撃音発生装置本体６の中に打ち当り体７と、打ち当り体７が遠心力で走行して激突して打撃音を発生する打ち当り体停止部８と、素振りする前の打ち当り体７が静止する打ち当り体係止部９と、離脱防止の飛び出し防止部を形成している。このように構成した素振り具にしても、前記本発明の第一の実施の形態と同様な効果が得られる。
【００１１】
図６は素振り具本体のバット４への取り付け実施例で、バット４の芯部に空洞を設け、打撃音発生装置６を取り付け固定する。バット４を素振りする前は打ち当り体７は打ち当り体係止部９の上に静止し、素振りすることにより、遠心力で打ち当り体７は走行して打ち当り体停止部８に激突して打撃音を発生する。
【００１２】
【発明の効果】
以上の説明から明らかなように、本発明にあっては次に列挙する効果が得られる。
【００１３】
バットなどの素振り具本体と、この素振り具本体に設けられた、該素振り具本体を素振りした場合にその遠心力で勢いよく走行するように設けられた打ち当り体と、前記素振り具本体の前記打ち当り体の走行先に設けられた、前記打ち当り体が走行していって打ち当り、打撃音を発生するとともに該打ち当り体の走行を停止させる打ち当り体停止部と、走行前の前記打ち当り体を前記打ち当り体停止部から離れた部位に係止しておくための打ち当り体係止部と、離脱防止の飛び出し防止部とで構成されているので、素振り具本体を素振りすることにより打撃音が発生して楽しむことができる。
【００１４】
遊具として、室外、室内ともボールがなくても打撃感覚遊びができる。
【００１５】
打撃感覚が得られると同時に、打撃のシヨックも手に感じられ素振りも楽しんで実施できる。
【００１６】
バットへの取り付け取り外しが可能であり、材質で重さを加えることにより素振り練習に使える。
【００１７】
バット使用のほか棒状の玩具など、音楽のテンポを楽しむものにも利用できる。
【００１８】
【図面の簡単な説明】
【図１】本発明の第一の実施の形態を示す斜視図
【図２】本発明の第一の実施の形態を示す断面図
【図３】本発明の第一の実施の形態のバットに付けた使用状態の斜視図
【図４】本発明の第二の実施の形態を示す斜視図
【図５】本発明の第二の実施の形態を示す断面図
【図６】本発明の第二の実施の形態のバットに付けた使用状態の断面図
【符号の説明】
１は打ち当り体
２は打ち当り体停止部
３は打ち当り体係止部
４はバット
５は飛び出し防止部
６は打撃音発生装置
７は打ち当り体
８は打ち当り体停止部
９は打ち当り体係止部
【図１】
2004073776.tif 000003
【図２】
2004073776.tif 000004
【図３】
2004073776.tif 000005
【図４】
2004073776.tif 000006
【図５】
2004073776.tif 000007
【図６】
2004073776.tif 000008